(57)【要約】【課題】断熱性および遮熱性を併せ持つ断熱遮熱シート、さらにはそれを用いた断熱遮熱壁紙または断熱遮熱ロールカーテンもしくはスクリーンを提供する。【解決手段】アルミニウム層の片面側に気体含有層を形成してなり、かつアルミニウム層のもう１つの片面側に、遠赤外線を放射・吸収し遠赤外線の放射率が０．６以上である遠赤外線放射物質を含む遠赤外線放射物質層を形成してなる断熱遮熱シート。【選択図】図１
2015189086.tif 000002
【特許請求の範囲】
【請求項１】
アルミニウム層の片面側に空気層シート気体含有層を形成してなり、かつ
アルミニウム層のもう１つの片面に、遠赤外線を放射・吸収し遠赤外線の放射率が０．６以上である遠赤外線放射物質を含む遠赤外線放射物質層を形成してなる断熱遮熱シート。
【請求項２】
気体含有層が発泡シートである請求項１に記載の断熱遮熱シート。
【請求項３】
アルミニウム層が、アルミニウムのシート、箔、または蒸着層である請求項１または２に記載の断熱遮熱シート。
【請求項４】
アルミニウム層が、基体上に形成されている請求項１〜３のいずれか１項に記載の断熱遮熱シート。
【請求項５】
遠赤外線放射物質層が、遠赤外線放射物質のコーティング層、または遠赤外線放射物質を含むシートである請求項１〜４のいずれか１項に記載の断熱遮熱シート。
【請求項６】
気体含有層および遠赤外線放射物質層が接着剤層を介してアルミニウム層に積層されてなる１〜５のいずれか１項に記載の断熱遮熱シート。
【請求項７】
アルミニウム層と遠赤外線放射物質層の間にさらに気体含有層を形成してなる１〜６のいずれか１項に記載の断熱遮熱シート。
【請求項８】
請求項１〜７のいずれか１項に記載の断熱遮熱シートを用いてなる断熱遮熱クロス。
【請求項９】
請求項１〜７のいずれか１項に記載の断熱遮熱シートを用いてなる断熱遮熱ロールカーテンもしくはスクリーン。
【請求項１０】
遠赤外線を放射・吸収し遠赤外線の放射率が０．６以上である遠赤外線放射物質を含む材料で構成された室内面構成部材を有し、かつ
冷暖放射パネル表面が、前記室内面構成部材の前記遠赤外線放射物質と同一の遠赤外線放射物質を含む材料で構成されてなる、放射冷暖房装置において、
前記室内面構成部材として請求項７または８に記載の断熱遮熱壁紙または断熱遮熱ロールカーテンもしくはスクリーンを用いてなる放射冷暖房装置。
【請求項１１】
冷暖放射パネル表面が冷却されると、その表面の前記遠赤外線放射物質が前記室内面構成部材の前記遠赤外線放射物質が放射する遠赤外線を吸収し、または、
冷暖放射パネル表面が加熱されると、その加熱面の前記遠赤外線放射物質が放射する遠赤外線を前記室内面構成部材の前記遠赤外線放射物質が吸収するように構成されてなる請求項１０に記載の放射冷暖房装置。
【発明の詳細な説明】
【技術分野】
【０００１】
本発明は、断熱遮熱シート、ならびに断熱遮熱シートを用いた断熱遮熱壁紙または断熱遮熱ロールカーテンもしくはスクリーンに関する。
【背景技術】
【０００２】
従来、建物の内外装等、種々の用途のために、種々の断熱シート、遮熱シートが検討され、実用化されているものも多い。しかしながら、これらは断熱および遮熱の双方の点からは、必ずしも十分とはいえず、さらなる改良が望まれている（たとえば、特許文献１）。
【先行技術文献】
【特許文献】
【０００３】
【特許文献１】特開２００８−７３６００号公報
【発明の概要】
【発明が解決しようとする課題】
【０００４】
本発明は、前記の難点を解決して断熱性および遮熱性を併せ持つ断熱遮熱シート、さらにはそれを用いた断熱遮熱壁紙または断熱遮熱ロールカーテンもしくはスクリーンを提供することを目的とする。
【課題を解決するための手段】
【０００５】
本発明は上記の問題を解決するために、以下の発明を提供するものである。
（１）アルミニウム層の片面側に気体含有層を形成してなり、かつ
アルミニウム層のもう１つの片面側に、遠赤外線を放射・吸収し遠赤外線の放射率が０．６以上である遠赤外線放射物質を含む遠赤外線放射物質層を形成してなる断熱遮熱シート。
（２）気体含有層が発泡シートである上記（１）に記載の断熱遮熱シート。
（３）アルミニウム層が、アルミニウムのシート、箔、または蒸着層である上記（１）または（２）に記載の断熱遮熱シート。
（４）アルミニウム層が、基体上に形成されている上記（１）〜（３）のいずれかに記載の断熱遮熱シート。
（５）遠赤外線放射物質層が、遠赤外線放射物質のコーティング層、または遠赤外線放射物質を含むシートである上記（１）〜（４）のいずれかに記載の断熱遮熱シート。
（６）気体含有層および遠赤外線放射物質層が接着剤層を介してアルミニウム層に積層されてなる上記（１）〜（５）のいずれかに記載の断熱遮熱シート。
（７）アルミニウム層と遠赤外線放射物質層の間にさらに気体含有層を形成してなる上記（１）〜（６）のいずれかに記載の断熱遮熱シート。
（８）上記（１）〜（７）のいずれかに記載の断熱遮熱シートを用いてなる断熱遮熱クロス。
（９）上記（１）〜（７）のいずれかに記載の断熱遮熱シートを用いてなる断熱遮熱ロールカーテンもしくはスクリーン。
（１０）遠赤外線を放射・吸収し遠赤外線の放射率が０．６以上である遠赤外線放射物質を含む材料で構成された室内面構成部材を有し、かつ
冷暖放射パネル表面が、前記室内面構成部材の前記遠赤外線放射物質と同一の遠赤外線放射物質を含む材料で構成されてなる、放射冷暖房装置において、
前記室内面構成部材として上記（７）または（８）に記載の断熱遮熱壁紙または断熱遮熱ロールカーテンもしくはスクリーンを用いてなる放射冷暖房装置。
（１１）冷暖放射パネル表面が冷却されると、その表面の前記遠赤外線放射物質が前記室内面構成部材の前記遠赤外線放射物質が放射する遠赤外線を吸収し、または、冷暖放射パネル表面が加熱されると、その加熱面の前記遠赤外線放射物質が放射する遠赤外線を前記室内面構成部材の前記遠赤外線放射物質が吸収するように構成されてなる上記（１０）に記載の放射冷暖房装置。
【発明の効果】
【０００６】
本発明によれば、断熱性および遮熱性を併せ持つ断熱遮熱シート、さらにはそれを用いた断熱遮熱壁紙または断熱遮熱ロールカーテンもしくはスクリーンを提供し得る。
【図面の簡単な説明】
【０００７】
【図１】本発明の断熱遮熱シートの一実施態様を示す図。
【発明を実施するための形態】
【０００８】
本発明の断熱遮熱シートは、アルミニウム層の片面側に気体含有層を形成してなり、かつアルミニウム層のもう１つの片面側に、遠赤外線を放射・吸収し遠赤外線の放射率が０．６以上である遠赤外線放射物質を含む遠赤外線放射物質層を形成してなる。気体としては、通常空気であるが、目的により窒素等の不活性ガスを用いることができる。ここで、「片面側」は、片面に直接、または本発明の目的を損なわない、他の層を介する場合も含む。
【０００９】
気体含有層は、断熱のための空気等の気体層を有するものであれば特に制限されないが、プラスチックス製の発泡シートであるのが好適である。２枚のシート内に他の成形体を挟み込み、中空部を形成するようにしたものであってもよい。発泡シートの場合、気体含有層は、好ましくは気泡同士が壁で仕切られた独立気泡を有するが連続気泡を有するものであってもよい。プラスチックスとしては、ポリオレフィン、ポリウレタン、ポリスチレン、ポリイミド、ポリエステル等が挙げられる。具体的には、たとえば２枚のポリエチレンシートを張り合わせるに際し、その一枚には成型した円柱状の突起を形成したものを用い、その円柱状の突起の中に空気を閉じ込めるものが挙げられる。
【００１０】
気体含有層の厚さは、用途により異なるが、通常２〜１５０ｍｍ程度、好ましくは５〜１００ｍｍである。
【００１１】
アルミニウム層としては、好ましくはアルミニウムのシート、箔、または蒸着層である。アルミニウムシートとしては、厚さは、用途により異なるが、通常０．２〜１０ｍｍ程度である。アルミニウム箔は、通常０．００６〜０．２ｍｍの厚さであり、紙等の基体で裏打ちして用いられる。蒸着層は、基体上に真空下にアルミニウムを化学蒸着または物理蒸着させたものが好適に使用される。
【００１２】
遠赤外線放射物質層としては、遠赤外線放射物質のコーティング層、または遠赤外線放射物質を含むシートが挙げられる。遠赤外線放射物質は遠赤外線を放射・吸収する物質をいうが、本発明で用いる遠赤外線放射物質は、遠赤外線の放射率が０．６以上、好ましくは０．８以上の遠赤外線放射物質である。
【００１３】
このような遠赤外線放射物質は、通常、いわゆる無機材料であり、天然及び人工の鉱物、金属及び半金属の酸化物、窒化物、炭化物、硫化物、水酸化物等、炭酸塩などの塩やそれらの複合物（複塩）、炭などのほか、貝殻などの天然素材なども含まれる。また、本発明の遠赤外線放射物質の殆どは広義のセラミックス材料（金属以外の無機材料をいう。）であるが、有機物や有機物由来の物質であっても上記放射率の条件を満たすならば用いることができる。
【００１４】
本発明において、遠赤外線放射物質の形態は、遠赤外線を放射・吸収できれば格別に制約はなく、代表的には、遠赤外線放射物質からなる層、遠赤外線放射物質の粒子、粉末、骨材等（これらを粒子ともいう。）を含む層、遠赤外線放射物質の皮膜を有する層などの形態であることができる。
【００１５】
本発明の断熱遮熱シートにおいては、空気層シートおよび遠赤外線放射物質層が接着剤層を介してアルミニウム層に積層されていてもよい。接着剤層としては、酢酸ビニル、アクリル樹脂等が挙げられる。
【００１６】
本発明の断熱遮熱シートにおいては、アルミニウム層と遠赤外線放射物質層の間にさらに空気層シートを形成していてもよい。すなわち、たとえば空気層シート/アルミニウム層/空気層シート/遠赤外線放射物質層の構成とすることができる。
【００１７】
本発明の断熱遮熱シートは、建築物の壁面、天井等の内装材である断熱遮熱クロス（断熱遮熱壁紙）として好適に使用され得る。また、本発明の断熱遮熱シートは、断熱遮熱ロールカーテンもしくはスクリーンとして好適に使用され得る。
【００１８】
いずれの場合においても、遠赤外線放射物質層が表側（室内側）として用いられる。このため、遠赤外線放射物質層表面に適宜印刷もしくは塗布を施すか、あるいは壁紙またはカーテンもしくはスクリーン表面に適した、薄い外層を貼付することもできる。
【００１９】
さらに本発明の好適な態様においては、遠赤外線を放射・吸収し遠赤外線の放射率が０．６以上である遠赤外線放射物質を含む材料で構成された室内面構成部材を有し、かつ  冷暖放射パネル表面が、前記室内面構成部材の前記遠赤外線放射物質と同一の遠赤外線放射物質を含む材料で構成されてなる、放射冷暖房装置において、
前記室内面構成部材として本発明の断熱遮熱壁紙または断熱遮熱ロールカーテンもしくはスクリーンを用いてなる放射冷暖房装置を提供する。
【００２０】
ここでは、冷暖放射パネル表面が冷却されると、その表面の前記遠赤外線放射物質が前記室内面構成部材の前記遠赤外線放射物質が放射する遠赤外線を吸収し、または、冷暖放射パネル表面が加熱されると、その加熱面の前記遠赤外線放射物質が放射する遠赤外線を前記室内面構成部材の前記遠赤外線放射物質が吸収するように構成されてなる。
【００２１】
本発明において、室内面構成部材とは、環境調整の対象となる密閉空間に露出した面を構成している部材を指す。密閉空間は、その内部と外部との連絡を可能にするドアや窓などのような開閉手段を備えることができる。密閉空間は、特に制限されないが、通常は人間が生活・活動する建物の部屋や廊下などである。室内面構成部材の少なくとも一部は、本発明の断熱遮熱シートを含む断熱遮熱壁紙を用いるので、本発明における室内環境の調整に必要な遠赤外線を放射・吸収する遠赤外線放射物質で構成されるか、遠赤外線放射物質を混入した材料で構成されるか、又は遠赤外線放射物質からなる皮膜を有する。遠赤外線の放射および吸収を効率よく行うため、室内面構成部材中の遠赤外線放射物質は、室内空間に露出していることが好ましい。しかし、室内面構成部材中の遠赤外線放射物質は、室内空間に直接露出されずに、遠赤外線放射物質の遠赤外線の放射・吸収を有意に妨げない程度の保護層（例えば、数ｍｍ以下、好ましくは１ｍｍ程度以下の厚さの塗装膜、ニス層、壁紙等）などで覆われていてもよい。
【００２２】
本発明において、遠赤外線放射物質からなる皮膜とは、室内面構成部材や冷却及び／又は加熱源の表面に形成した遠赤外線放射物質の皮膜をいう。この皮膜は、適当な皮膜形成技術、例えば熔射、蒸着などのＰＶＤ技術、あるいはＣＶＤ技術により、遠赤外線放射物質を対象表面にコーティングして形成することができる。
【００２３】
本発明においては、室内面構成部材の遠赤外線放射物質と、冷暖放射パネル表面の遠赤外線放射物質とは、同一である。本発明における放射冷暖房装置は、同一分子種間における熱放射を介した熱移動が、同一分子種間でない場合に比較して高い効率で行われる現象を利用して、室内面構成部材と冷暖放射パネル表面との間で熱放射を介し熱移動を高い効率で行わせることにより、室内環境の調整を実現するものである。よって、本発明の放射冷暖房装置が所期の機能を発揮するためには、それらの間で熱放射を介した熱移動が行われる室内面構成部材と冷暖放射パネル表面とに、同一分子種の物質が存在する必要がある。本発明では、同一分子種で構成されている、室内面構成部材の遠赤外線放射物質と冷却および／または加熱源の遠赤外線放射物質のことを、同一物質であると称する。ここで「同一分子種」とは、遠赤外線を放射・吸収する性質を示し、遠赤外線の放射率が０．６以上、好ましくは０．８以上である一方の物質（例えば、室内面構成部材において使用する遠赤外線放射物質）と、遠赤外線を放射・吸収する性質を示し、遠赤外線の放射率が０．６以上、好ましくは０．８以上であるもう一方の物質（冷暖放射パネル表面で使用する遠赤外線放射物質）とが、分子レベルで同一であることをいう。ここでの分子とは、化学結合により結合された原子の集団を意味する。したがって、ここでいう分子には、例えば天然石材を構成する鉱物の結晶なども含まれる。類似元素が置換あるいは固溶した同一鉱物は同一分子種の物質とみなされている。天然の鉱物の場合、複数の化合物で構成されるのが普通であり、しかも巨視的レベルでは鉱物中の部位によりそれらの化合物の結晶構造に違いが見られることもある。とは言え、この場合は、同じ原産地から切り出した鉱物は、実質的に同じ分子種の物質の実質的に同じ組成の集合体であり、全体として同一分子種の物質と同様に考えてよい。
【００２４】
室内面構成部材、あるいは冷暖放射パネル表面において、上述の遠赤外線放射物質として無機材料粒子を使用する場合、そこには、遠赤外線放射物質としての無機材料粒子以外の物質が共存するのが普通である。例えば、遠赤外線放射物質としての無機材料粒子を含む漆喰により室内面構成部材を形成した場合や、遠赤外線放射物質としての無機材料粒子を含む塗料を冷暖放射パネル表面に塗布した場合、上述の遠赤外線放射物質としての無機材料粒子は、漆喰中の骨材あるいは塗料中のバインダー成分などと共存する。このような場合、上述の「遠赤外線放射物質」としての無機材料粒子以外の物質も、遠赤外線を多かれ少なかれ放射・吸収する性質を持つ。しかし、本発明では、同一分子種間における熱放射を介した熱移動が同一分子種間でない場合に比較して顕著に高い効率で行われる現象を利用しているので、室内面構成部材と冷暖放射パネル表面の両者に共通に存在しない物質が本発明において果たす役割は、きわめて少ないか、または無視できる程度である。したがって、以下における本発明の説明において「遠赤外線放射物質」に言及する場合、それは室内面構成部材と冷暖放射パネル表面の両者に共通に存在する、遠赤外線放射率０．６以上、好ましくは０．８以上の同一の物質（電磁波を介した同一分子間における分子振動の共鳴現象を引き起こす物質）を指す。
【００２５】
室内面構成部材と冷暖放射パネル表面とで遠赤外線放射物質としてともに無機材料粒子を使用する場合には、双方の粒子の粒径や形状は同一でも異なっていてもよい。室内面構成部材と冷暖放射パネル表面の双方に含まれる無機材料粒子の配合量も、同じである必要はない。また、例えば、室内面構成部材が壁面と天井面を形成していて、遠赤外線放射物質として無機材料粒子を使用する場合、壁面と天井面の遠赤外線放射物質の粒子の粒径や形状は、同一でも異なっていてもよい。この場合、無機材料粒子は、室内面構成部材（たとえば、壁面及び天井面を形成する建材）中に、本発明による同一分子種間での熱放射を介した所期の熱移動を可能にする含有量で配合される。このとき、壁面を形成する建材と天井面を形成する建材とで、無機材料粒子の配合量は同一でも異なっていてもよい。これらは、２以上の壁面のそれぞれにおける遠赤外線放射物質の無機材料粒子についてもいえる。
【００２６】
室内面構成部材と冷暖放射パネル表面において、遠赤外線放射物質は複数種を用いてもよい。遠赤外線放射物質が石材の場合は、室内面構成部材あるいは冷暖放射パネル表面のために、２種以上の石材を組み合わせて用いることができる。遠赤外線放射物質が無機材料粒子の場合は、２種以上の無機材料粒子の混合物を用いることができる。どちらの場合も、室内面構成部材における無機材料粒子の組み合わせと冷暖放射パネル表面における無機材料粒子の組み合わせが同じであれば（同じ組み合わせが含まれていれば）、それらは「同一物質」であると見なされる。
【００２７】
室内面構成部材と冷暖放射パネル表面に含まれる遠赤外線放射物質としての無機材料粒子は、同一分子種間での熱放射を介した所期の熱移動を可能にする量でそれらに存在する。通常、室内面構成部材と冷暖放射パネル表面は、異なる業者により、建設現場以外で製作して建設現場に搬入されるか又は建設現場において施工されることが多いと考えられる。従って、室内面構成部材と冷暖放射パネル表面には、遠赤外線放射物質としての共通の無機材料粒子が、それぞれの製造業者又は施工業者により混入されることが多いと考えられる。このような場合、遠赤外線放射物質としての無機材料粒子の含有量は、それぞれの業者により室内面構成部材と冷暖放射パネル表面の各製造材料に含められる共通の無機材料粒子の量をいう。室内面構成部材中及び冷暖放射パネル表面形成材料中の無機材料粒子含有量は、本発明による熱放射を介した熱移動を実効あるものにする量として決定することができる。その量は、所期の冷房および／または加熱のために必要とされる熱移動量、熱放射を介した熱移動に利用可能な室内面構成部材と冷却および／または加熱面の面積、使用する遠赤外線放射物質の熱放射特性などに依存する。下記で説明する計測実験では、遠赤外線放射物質としての無機材料粒子は、室内面構成部材材料中、あるいは冷暖放射パネル表面を形成している材料中に、１重量％以上存在する場合に有効な効果が認められ、３重量％以上存在する場合により好ましい効果が得られた。一方、遠赤外線放射物質として無機材料粒子を用いる場合、その含有量の上限は、室内面構成部材と冷暖放射パネル表面を形成する材料中に実際上含ませることができる無機材料粒子の最大量によって決まり、特に制約はない（理論的には、例えば９０重量％でもよい）。
【００２８】
本発明では、遠赤外線放射物質の無機材料粒子として、複数種の物質を使用（上述の「分子レベルで同一」である物質を複数種使用）してもよい。この場合には、室内面構成部材と冷暖放射パネル表面とで同じ無機材料粒子の混合物を用いることができる。この場合の室内面構成部材材料と冷暖放射パネル表面を形成している材料における無機材料粒子の含有量は、混合物中の複数種の同じ物質の合計量でもって表される。
【００２９】
遠赤外線の放射および吸収を効率よく行うためには、遠赤外線放射物質は極力、環境調整する室内空間に露出していることが好ましい。とは言え、遠赤外線放射物質が室内空間に直接露出していなくても、１ｍｍ程度以下の保護層（例えば塗装の層、ニスの層、壁紙等）で覆われているのであれば、大きな問題はない。
【００３０】
本発明で使用する遠赤外線放射物質の遠赤外線の放射率は、０．６以上であり、好ましくは０．８以上、より好ましくは０．９以上である。遠赤外線は、波長が３μｍ〜１０００μｍの電磁波のことをいう。材料の放射率は、同一条件における理想的な黒体の遠赤外線の放射エネルギーをＷ0とし、当該材料の遠赤外線の放射エネルギーをＷとした場合に、Ｗ／Ｗ0によって定義される。放射率の値は、本発明のシステムの実際の使用温度に近い室温（例えば２５℃）におけるものが好ましく、例えば、人体に対する熱的な作用の大きい１０μｍ付近における値を採用する。
【００３１】
本発明の一態様において、冷暖放射パネルのフィンの表面は、遠赤外線放射物質の粉砕物とバインダーとを混合し、それを層状に塗り、乾燥させることでコーティングされている。たとえば、フィンの表面には、遠赤外線の放射率が０．９を超える数値を示す花崗岩を粉砕した粉砕物（以下、石粉という）を混ぜた白い塗料により構成された厚さ約２００μｍのコーティング層が形成される。コーティング層中の石粉の粒径は、５０μｍ以下である。この石粉のコーティング層における含有率は、塗料の硬化状態（乾燥状態）で２０重量％とされている。ここでは、冷却および／または加熱面を有する冷暖放射パネルは、遠赤外線放射物質をコーティングされたフィンを有するラジエーターで構成されており、冷房運転時にラジエーター表面に空気中の水分が結露して生成した水滴を屋外に排出するために、ラジエーター下方の水滴受部の排水口から屋外の排水出口に至る排水系を設けている。
【００３２】
ラジエーターは、たとえば表面をコーティング加工したアルミニウム製のフィンを複数備えている。このフィンは、薄手の板状であり、上下に延在している。フィンは、熱伝導の良好な他の金属または合金材料、例えば鉄や銅、それらの合金など、で製作することもできる。このフィンの表面は、遠赤外線放射物質の粉砕物とバインダーとを混合し、それを層状に塗り、乾燥させることでコーティングされている。
【００３３】
フィンは、アルミニウム製の支持板と一体形成されている。支持板の裏面側は、冷媒通路に露出している。冷媒通路には、冷媒として冷水が循環する。この冷媒は、冷却源である冷媒冷却装置により冷却される。冷媒冷却装置の冷却機構は、一般的な空調装置や冷蔵庫に利用されているものと同じである。
【００３４】
冷却面の下方には、排水口が設けられている。冷媒通路内を冷却水が循環すると、フィンが冷却され、フィンの表面の遠赤外線物質層も冷却され、に含まれた床面、壁面、天井面の室内面構成部材から放射された遠赤外線を吸収して、部屋内の環境の冷却が行われる。また、冷却面の表面に室内空間の空気中に含まれる水分が結露する。この結露した水滴は、排水口に滴下し、排水口から排水出口へ移動し、室外に排出される。
【００３５】
冷却および／または加熱源のために、冷熱放射装置が好適に使用され、冷放射と熱放射を切り換えて行うことができる。冷放射は、冷却されることで、周囲からの熱放射を吸収する作用のことをいい、熱放射は、加熱されることで、周囲に向かって熱放射を行う作用のことをいう。
【００３６】
このような冷熱放射装置は、室外機である冷温水発生装置に接続されている。冷温水発生装置は、ヒートポンプ機能を備え、冷水または温水を発生する。このヒートポンプ機能は、通常のエアコン等に用いられているものと同じ原理により動作する。なお、冷房効果だけを得るのであれば、冷水の発生機能だけでよい。また、暖房効果だけを得るのであれば、温水の発生機能だけでよい。
【００３７】
冷熱放射装置に、冷温水発生装置から冷水が供給されると、フィンが冷やされ、結露による除湿が行われる。また冷却されることで、フィンの表面は、冷放射を行う冷却面として機能する。また、冷熱放射装置に、冷温水発生装置から温水が供給されると、上記フィンが温められ、このフィンの表面が加熱面（熱放射面）として機能する。なお、冷水というのは、冷温水発生装置の冷却機能によって冷却された水のことであり、温水というのは、冷温水発生装置の加熱機能によって加熱された水のことをいう。なお、上記のように、フィンに結露した水滴は、下方のトレイに滴下させて集められ、排水口から屋外に排水される。
【００３８】
本発明の一態様において、フィンの表面には、遠赤外線の放射率が０．９を超える数値を示す花崗岩を粉砕した粉砕物（以下、石粉という）を混ぜた白い塗料により構成された厚さ約２００μｍのコーティング層が形成される。コーティング層中の石粉の粒径は、５０μｍ以下である。この石粉のコーティング層における含有率は、塗料の硬化状態（乾燥状態）で２０重量％とされている。このコーティング層が冷却除湿面および加熱面として機能する。
【００３９】
図１は、本発明の断熱遮熱シートの一実施態様を示す図である。図１の(a)において、アルミニウム層（１）（厚さ１ｍｍ）の片面には、２枚のポリエチレンシートの間に多数の円柱状中空部を有する気体（空気）含有層（２）が接着剤（図示せず）を介して形成され、もう一方の片面には、花崗岩粉砕物（５０μｍ以下）である遠赤外線放射物質層（３）が被覆形成されている。図１(b)においては、(a)のアルミニウム層（１）と遠赤外線放射物質層（３）の間に、気体含有層（２）と同様な気体含有層（２’）が設けられている。これらの断熱遮熱シートは、気体含有層（２）が、室内の壁面（４）に壁紙として貼付されると、優れた断熱遮熱性の効果を示した。
【産業上の利用可能性】
【００４０】
本発明によれば、断熱性および遮熱性を併せ持つ断熱遮熱シート、さらにはそれを用いた断熱遮熱壁紙または断熱遮熱ロールカーテンもしくはスクリーンを提供し得る。
【符号の説明】
【００４１】
１    アルミニウム層
２、２’    気体含有層
３    遠赤外線放射物質層
４    壁面
【図１】
2015189086.tif 000003